(57)【要約】【課題】壁面に固定されるベース部材とブラケット本体の取り付け、取り外しを容易にすると共に、ベース部材とブラケット本体との嵌合及び固定を強固な構造とすること。【解決手段】壁面に固定されるベース部材１０と、ベース部材に着脱可能に固定されるブラケット本体２０とを具備し、ベース部材は、ブラケット本体側に向かって突出する略十字状の嵌合突部１３と、嵌合突部を厚さ方向に貫通するねじ孔１９と、外周縁部の一側に設けられる係合凹部１４とを具備し、ブラケット本体は、嵌合突部に嵌合可能な略十字状の嵌合穴部２１と、嵌合穴部を直交状に貫通するねじ挿通孔２６と、係合凹部に係合可能な係合凸部２７とを具備する。嵌合突部と嵌合穴部とを嵌合した状態で、固定ねじ２８をベース部材のねじ孔に螺合して固定する。また、固定ねじを緩めてベース部材からブラケット本体を取り外す。【選択図】    図７
2008057105.tif 000002
【特許請求の範囲】
【請求項１】
手摺の端部を支持する手摺用ブラケットであって、
壁面に固定されるベース部材と、このベース部材に対して着脱可能に固定されるブラケット本体とを具備し、
上記ベース部材は、上記ブラケット本体側に向かって突出する略十字状の嵌合突部と、この嵌合突部を厚さ方向に貫通するねじ孔と、外周縁部の一側に設けられる係合凹部とを具備し、
上記ブラケット本体は、上記嵌合突部に嵌合可能な略十字状の嵌合穴部と、この嵌合穴部を直交状に貫通するねじ挿通孔と、上記係合凹部に係合可能な係合凸部とを具備し、
上記ベース部材の嵌合突部とブラケット本体の嵌合穴部とを嵌合した状態で、上記ねじ挿通孔を貫通する固定ねじを、上記ベース部材に設けられたねじ孔に螺合して固定し、固定ねじの螺合を解除した状態で、ベース部材に対してブラケット本体を取り外し可能に形成してなる、ことを特徴とする手摺用ブラケット。
【請求項２】
請求項１記載の手摺用ブラケットにおいて、
上記ベース部材に設けられる嵌合突部は、ベース部材の中心部を横断して延在する基部と、この基部の中間部の対向する辺に隆起し、ブラケット本体側に向かって先細り状のテーパ面を有する嵌合案内凸条と、上記基部のベース部材側端部側に隆起する位置決め用段部とを具備し、
上記ブラケット本体は、上記ベース部材側に向かって拡開状をなし、上記位置決め用段部に係合可能な穴基部と、上記嵌合案内凸条の先細りテーパ面に摺接可能な拡開テーパ面を有する嵌合案内凹条とを具備してなる、ことを特徴とする手摺用ブラケット。
【請求項３】
請求項１又は２記載の手摺用ブラケットにおいて、
上記ベース部材及びブラケット本体に対して着脱可能に装着され、上記ベース部材とブラケット本体の固定部を外部から被覆するカバーを更に具備し、
上記カバーは、上記ブラケット本体の手摺固定部側の手摺以外の部分を被覆する第１のカバー半体と、手摺固定部の反対側の全体を被覆する第２のカバー半体とで構成され、両カバー半体の目地部にシールパッキンを介在してなる、ことを特徴とする手摺用ブラケット。
【発明の詳細な説明】
【技術分野】
【０００１】
この発明は手摺用ブラケットに関するもので、更に詳細には、手摺の端部を支持する分解可能な手摺用ブラケットに関するものである。
【背景技術】
【０００２】
一般に、室内や廊下等に取り付けられる手摺のブラケットは、壁面に例えば木ねじ等の固定ねじで固定されている。そのため、長期の使用により汚れた壁紙の張り替えやブラケットの交換などを行う場合、その都度ブラケットを壁面から外していては壁面のねじ孔が緩くなってしまい、再度の取り付けに支障をきたすという問題がある。
【０００３】
また、壁紙の張り替えの際に、ブラケットは取り外すことなく、ブラケット及び手摺を避けるようにして壁紙の貼り付けを行うこともあるが、これは作業に手間がかかる上、時間やコストなどに問題がある。
【０００４】
上記問題を解決する方法として、ブラケットを壁面に固定される部分と、手摺を支持する部分とを着脱式にすることが考えられる。この手法をとるブラケットに、壁面に固定されるベースと、ベースに対して着脱可能に嵌合固定されるブラケット本体とを具備する手摺ブラケットが知られている（例えば、特許文献１参照）。
【０００５】
上記従来の手摺ブラケットは、ベースに設けられたベース側嵌合部の側面にベース側嵌合溝を有し、このベース側嵌合溝が、ブラケット本体に設けられた嵌合部の側壁に設けられたブラケット側嵌合突起と嵌合するようにして、ベース側嵌合部とブラケット側嵌合部とが互いに嵌合した状態で、ブラケット本体の取付面に設けられたねじ挿通孔を貫通する固定ねじをベースに設けられたねじ孔に螺合して固定する構造である。
【０００６】
この手摺ブラケットによれば、一度手摺ブラケットを壁面に固定した後は、ベースを壁面から取り外すことなく、ブラケット本体の固定ねじを緩めてベースからブラケット本体を取り外すことができるので、壁紙の張り替えや手摺ブラケットの交換に際してベースの固定ねじを脱着する必要がない。
【０００７】
また、上記手摺ブラケットは、手摺の中間部の支持と端部の支持にも適用されている。
【特許文献１】特許第３６２１６９１号公報（特許請求の範囲、段落番号００１５，００３７，００５７，００６２、図１，図２，図５）
【発明の開示】
【発明が解決しようとする課題】
【０００８】
しかしながら、従来の特許第３６２１６９１号公報に記載の手摺ブラケットは、ブラケット本体の取付面に設けられたねじ挿通孔を貫通する固定ねじをベースに設けられたねじ孔に螺合して固定する構造であり、ベースの厚さを極端に厚くすることができないため、固定ねじの螺合による固定強度が十分でないという問題がある。特に、縦型の手摺用ブラケットにおいては、ブラケットに曲げや捩りの力が加わるので、十分な強度が得られないという問題があった。
【０００９】
また、従来の特許第３６２１６９１号公報に記載の手摺ブラケットは、面方向から固定ねじを取り付け、又は取り外す構造であるため、作業がしづらいという問題もあった。
【００１０】
この発明は、上記事情に鑑みてなされたもので、壁面に固定されるベース部材に対するブラケット本体の取り付け、取り外しを容易にすることができると共に、ベース部材とブラケット本体との嵌合及び固定が強固な手摺用ブラケットを提供することを課題とするものである。
【課題を解決するための手段】
【００１１】
上記課題を解決するために、請求項１記載の発明は、手摺の端部を支持する手摺用ブラケットであって、  壁面に固定されるベース部材と、このベース部材に対して着脱可能に固定されるブラケット本体とを具備し、  上記ベース部材は、上記ブラケット本体側に向かって突出する略十字状の嵌合突部と、この嵌合突部を厚さ方向に貫通するねじ孔と、外周縁部の一側に設けられる係合凹部とを具備し、  上記ブラケット本体は、上記嵌合突部に嵌合可能な略十字状の嵌合穴部と、この嵌合穴部を直交状に貫通するねじ挿通孔と、上記係合凹部に係合可能な係合凸部とを具備し、  上記ベース部材の嵌合突部とブラケット本体の嵌合穴部とを嵌合した状態で、上記ねじ挿通孔を貫通する固定ねじを、上記ベース部材に設けられたねじ孔に螺合して固定し、固定ねじの螺合を解除した状態で、ベース部材に対してブラケット本体を取り外し可能に形成してなる、ことを特徴とする。
【００１２】
このように構成することにより、ベース部材に突出される略十字状の嵌合突部とブラケット本体の嵌合穴部を嵌合すると共に、ベース部材の外周縁部の一側に設けられる係合凹部と係合凸部とを係合した状態で、嵌合突部の直交方向からブラケット本体に設けられたねじ挿通孔を貫通する固定ねじを、ベース部材に設けられたねじ孔に螺合して固定することができる。また、固定ねじの螺合を解除した状態で、ベース部材に対してブラケット本体を取り外すことができる。
【００１３】
請求項２記載の発明は、請求項１記載の手摺用ブラケットにおいて、  上記ベース部材に設けられる嵌合突部は、ベース部材の中心部を横断して延在する基部と、この基部の中間部の対向する辺に隆起し、ブラケット本体側に向かって先細り状のテーパ面を有する嵌合案内凸条と、上記基部のベース部材側端部側に隆起する位置決め用段部とを具備し、  上記ブラケット本体は、上記ベース部材側に向かって拡開状をなし、上記位置決め用段部に係合可能な穴基部と、上記嵌合案内凸条の先細りテーパ面に摺接可能な拡開テーパ面を有する嵌合案内凹条とを具備してなる、ことを特徴とする。
【００１４】
このように構成することにより、ベース部材に設けられる嵌合突部の基部と、先細り状のテーパ面を有する嵌合案内凸条に対して、ブラケット本体に設けられた穴基部と、嵌合案内凸条の先細りテーパ面に摺接可能な拡開テーパ面を有する嵌合案内凹条とを嵌合することができ、嵌合案内凹条がベース部材に設けられた位置決め用段部に係合した状態で嵌合を適正にすることができる。
【００１５】
請求項３記載の発明は、請求項１又は２記載の手摺用ブラケットにおいて、  上記ベース部材及びブラケット本体に対して着脱可能に装着され、上記ベース部材とブラケット本体の固定部を外部から被覆するカバーを更に具備し、  上記カバーは、上記ブラケット本体の手摺固定部側の手摺以外の部分を被覆する第１のカバー半体と、手摺固定部の反対側の全体を被覆する第２のカバー半体とで構成され、両カバー半体の目地部にシールパッキンを介在してなる、ことを特徴とする。
【００１６】
このように構成することにより、ベース部材とブラケット本体の固定部を第１のカバー半体及び第２のカバー半体によって外部から被覆することができると共に、第１及び第２のカバー半体間の目地部をシールパッキンで塞ぐことができる。
【発明の効果】
【００１７】
この発明の手摺用ブラケットは、上記のように構成されているので、以下のような効果が得られる。
【００１８】
（１）請求項１記載の発明によれば、壁面に固定されたベース部材に対してブラケット本体を着脱可能に固定することができる上、ベース部材の略十字状の嵌合突部とブラケット本体の嵌合穴部を嵌合すると共に、ベース部材の係合凹部と係合凸部とを係合した状態で、嵌合突部の直交方向からブラケット本体を貫通する固定ねじを、ベース部材に螺合して固定することができるので、ベース部材とブラケット本体とを強固に固定することができ、曲げや捩り等の力に対する強度の向上が図れる。
【００１９】
（２）請求項２記載の発明によれば、ブラケット本体に設けられた嵌合案内凹条をベース部材に設けられた位置決め用段部に係合した状態で嵌合を適正にすることができるので、上記（１）に加えて、更にベース部材とブラケット本体の嵌合固定を容易かつ確実にすることができる。
【００２０】
（３）請求項３記載の発明によれば、ベース部材とブラケット本体の固定部を第１のカバー半体及び第２のカバー半体によって外部から被覆することができると共に、第１及び第２のカバー半体間の目地部をシールパッキンで塞ぐことができるので、上記（１），（２）に加えて、更にブラケットに一体性を持たせると共に、美観の向上が図れる。
【発明を実施するための最良の形態】
【００２１】
以下に、この発明の最良の実施形態を添付図面に基づいて詳細に説明する。
【００２２】
図１は、この発明に係る手摺用ブラケットの使用状態の一例を示す概略斜視図、図２は、その要部を示す斜視図、図３は、使用状態の要部を示す平面図（ａ）及びその側面図（ｂ）、図４は、図３（ａ）のＩ−Ｉ線に沿う拡大断面図、図５は、図３（ｂ）のII−II線に沿う拡大断面図である。
【００２３】
この発明に係る手摺用ブラケットは、壁面１に固定されるベース部材１０と、ベース部材１０に対して着脱可能に固定されるブラケット本体２０と、ベース部材１０及びブラケット本体２０に対して着脱可能に装着され、ベース部材１０とブラケット本体２０の固定部を外部から被覆するカバー３０とで主に構成されている。
【００２４】
ベース部材１０は、図７に示すように、周縁部を残して隆起するねじ受け部１１を有する円盤状の取付座１２と、ブラケット本体側に向かって突出する略十字状の嵌合突部１３と、取付座１２の外周縁部の一側すなわちねじ受け部１１の外周縁の一側に切欠かれて設けられる係合凹部１４とを具備する例えば亜鉛ダイキャストにて形成されている。
【００２５】
この場合、取付座１２のねじ受け部１１は、係合凹部１４に隣接する部位が傾斜状に隆起しており、この２個の傾斜部１５を含む同心円上の４箇所に貫通孔１６ａ〜１６ｄが設けられている。４個の貫通孔１６ａ〜１６ｄのうち傾斜部１５に設けられる貫通孔１６ａ，１６ｂは傾斜部１５の表面に対して直交状すなわち取付座１２の取付面（壁面）に対して傾斜状に設けられている。そして、ベース部材１０を壁面１に固定する場合は、貫通孔１６ａ，１６ｂと残りの一つの貫通孔１６ｃ又は１６ｄを貫通するベース部材固定ねじ１７を壁部にねじ止めして、ベース部材１０の壁面１への固定を強固にしている。
【００２６】
また、嵌合突部１３は、ベース部材１０の中心部を横断して延在する矩形ブロック状の基部１３ａと、この基部１３ａの中間部の対向する辺に隆起し、ブラケット本体側に向かって先細り状のテーパ面を有する一対の嵌合案内凸条１３ｂと、基部１３ａのベース部材側端部側に隆起する位置決め用段部１８とを具備しており、基部１３ａにおける嵌合案内凸条１３ｂに対して両側にはそれぞれねじ孔１９が刻設されている。
【００２７】
ブラケット本体２０は、図７に示すように、ベース部材１０の嵌合突部１３に嵌合可能な略十字状の嵌合穴部２１を有する断面略十字状のベース部材側固定部２２と、このベース部材側固定部２２から先端に向かって放物線状に隆起する略Ｕ字状の胴部２３と、胴部２３の先端側の垂直面から直交状に突出する手摺固定部２４とからなる例えば亜鉛ダイキャストにて形成されている。
【００２８】
この場合、嵌合穴部２１は、ベース部材側に向かって拡開状をなし、位置決め用段部１８に係合可能な穴基部２１ａと、嵌合案内凸条１３ｂの先細りテーパ面に摺接可能な拡開テーパ面を有する嵌合案内凹条２１ｂとを有している。また、ベース部材側固定部２２には、嵌合穴部２１を直交状に貫通するねじ挿通孔２６と、係合凹部１４に係合可能な係合凸部２７が設けられている。この場合、係合凹部１４と係合凸部２７は、ブラケット本体２０に固定される手摺２の直下位置に設けられている。
【００２９】
手摺２は、例えばアルミニウム合金製押出形材にて形成される下方が開口した断面略中空矩形状の手摺基材３と、この手摺基材３の外周を被覆する合成樹脂製の被覆部材４とで構成されている。この手摺２とブラケット本体２０とを固定するには、ブラケット本体２０の手摺固定部２４を手摺基材３の端部に挿入し、手摺基材３を貫通する図示しない固定ねじを手摺固定部２４に設けられたねじ孔２４ａに螺合して固定した後、手摺基材３に被覆部材４を被着する。なお、手摺２の中間部は中間支持用ブラケット５によって支持されている。なお、図示しないが、中間支持用ブラケット５も、壁面１に固定されるベース部材と、ベース部材に対して着脱可能に固定されるブラケット本体とを具備している。
【００３０】
上記のように構成されるブラケット本体２０をベース部材１０に固定するには、壁面１に固定されたベース部材１０の嵌合突部１３の基部１３ａと嵌合案内凸条１３ｂに、ブラケット本体２０の穴基部２１ａと嵌合案内凹条２１ｂを嵌合させてブラケット本体２０をベース部材側に押し付けて行くと、ベース部材１０の位置決め用段部１８にブラケット本体２０の穴基部２１ａは係合してブラケット本体２０の更なる押し下げが規制されると共に、ねじ孔１９とねじ挿通孔２６が合致する。また、この際、ベース部材１０の係合凹部１４とブラケット本体２０の係合凸部２７が係合する。この場合、係合凹部１４の対向する側壁は傾斜部１５によって隆起しているので、係合凸部２７との係合面積（接触面積）を大きくすることができ、係合部に強度を持たせることができる。この状態で、ねじ挿通孔２６を貫通する固定ねじ２８をねじ孔１９に螺合してベース部材１０とブラケット本体２０を固定する（図３〜図５参照）。なお、この場合、係合凹部１４と係合凸部２７の位置が、ブラケット本体２０に固定される手摺２の直下位置に設けられているので、係合凹部１４と係合凸部２７が位置決めとなり、手摺２を固定した状態のブラケット本体２０のベース部材１０への取り付けを容易にすることができる。
【００３１】
カバー３０は、ブラケット本体２０の手摺固定部２４側の手摺２以外の部分を被覆する合成樹脂製の第１のカバー半体３１と、手摺固定部２４の反対側の全体を被覆する合成樹脂製の第２のカバー半体３２とで構成されている。この場合、図６及び図７に示すように、第１のカバー半体３１は、略半円筒状に形成されており、ベース部材側端部にベース部材１０の外周側縁に設けられた第１の係止切欠き３３ａに係合可能な第１の係止爪３４ａが突設され、手摺固定部側の端部内方部位には、ブラケット本体２０のベース部材側固定部２２の先端部に設けられた第２の係止切欠き３３ｂに係合可能な第２の係止爪３４ｂが突設されている。また、第２のカバー半体３２は、空洞部３２ａを有する略半ドーム状に形成されており、ベース部材側端部にベース部材１０の外周側縁に設けられた第３の係止切欠き３３ｃに係合可能な第３の係止爪３４ｃが突設され、胴部２３の先端側端部には、ブラケット本体２０の先端部に設けられた第４の係止切欠き３３ｄに係合可能な第４の係止爪３４ｄが突設されている。
【００３２】
上記のように構成される第１，第２のカバー半体３１，３２は、ベース部材１０とブラケット本体２０とを固定した後に、ベース部材１０とブラケット本体２０の固定部を外部から被覆するように被着される。なお、この場合、図７に示すように、ブラケット本体２０の中間部には、ベース部材側から先端側に向かって略Ｕ字状の嵌合溝２９が設けられており、この嵌合溝２９に略Ｕ字状のシールパッキン４０が嵌合溝２９から突出された状態で嵌着されている。そして、このシールパッキン４０によって両カバー半体３１，３２間の目地部が塞がれている。
【００３３】
上記のように、ブラケット本体２０の手摺固定部２４側の手摺２以外の部分を被覆する第１のカバー半体３１と、手摺固定部２４の反対側の全体を被覆する第２のカバー半体３２とを設け、かつ、両カバー半体３１，３２間の目地部にシールパッキン４０を介在することにより、ベース部材１０とブラケット本体２０の固定部を外部から目隠しすることができると共に、第１及び第２のカバー半体３１，３２間の目地部を塞ぐことができるので、ブラケットに一体性を持たせることができると共に、美観の向上が図れる。
【００３４】
ブラケット本体２０をベース部材１０から取り外すには、まず、図８（ａ）に示す組み付け状態の手摺用ブラケットから第１，第２のカバー半体３１，３２を取り外して、ブラケット本体２０とベース部材１０を固定している固定ねじ２８を露呈する（図８（ｂ）参照）。そして、固定ねじ２８を緩めて、ベース部材１０からブラケット本体２０を取り外してベース部材１０のみを壁面に残す（図８（ｃ）参照）。この状態で、壁紙の張り替え作業やブラケット本体の着脱作業を行うことができる。
【００３５】
なお、上記実施形態では、この発明に係る手摺用ブラケットを横型手摺に適用した場合について説明したが、図９及び図１０に示す縦型手摺においても同様に適用することができる。この場合、ベース部材１０を、係合凹部１４が鉛直方向に位置するようにして固定ねじ２８にて壁面１に固定した後、ベース部材１０の嵌合突部１３の基部１３ａと嵌合案内凸条１３ｂに、ブラケット本体２０の穴基部２１ａと嵌合案内凹条２１ｂを嵌合させてブラケット本体２０をベース部材側に押し付け、ベース部材１０の位置決め用段部１８にブラケット本体２０の穴基部２１ａを係合して、ねじ孔１９とねじ挿通孔２６を合致すると共に、ベース部材１０の係合凹部１４とブラケット本体２０の係合凸部２７を係合する。この状態で、ねじ挿通孔２６を貫通する固定ねじ２８をねじ孔１９に螺合してベース部材１０とブラケット本体２０を固定して、手摺２を鉛直状に取り付けることができる。
【００３６】
上記縦型手摺においては、上記のようにベース部材１０に突出された略十字状の嵌合突部１３とブラケット本体２０に設けられた略十字状の嵌合穴部２１とを嵌合させると共に、ベース部材１０の係合凹部１４とブラケット本体２０の係合凸部２７とを係合させるので、十分な強度が得られ、特に曲げや捩りの力が加わる縦型手摺においてもガタツキを生じることがない。
【図面の簡単な説明】
【００３７】
【図１】この発明に係る手摺用ブラケットの使用状態を示す概略斜視図である。
【図２】上記手摺用ブラケットの使用状態の要部を示す斜視図である。
【図３】上記手摺用ブラケットの使用状態の要部を示す平面図（ａ）及び側面図（ｂ）である。
【図４】図３（ａ）のＩ−Ｉ線に沿う拡大断面図である。
【図５】図３（ｂ）のII−II線に沿う拡大断面図である。
【図６】この発明におけるカバーの取付状態を示す概略平面図である。
【図７】この発明に係る手摺用ブラケットの分解状態を示す斜視図（ａ）及びこの発明におけるブラケット本体のベース部材側を示す斜視図（ｂ）である。
【図８】この発明に係る手摺用ブラケットにおけるカバーとブラケット本体の取り外し手順を示す斜視図である。
【図９】この発明に係る手摺用ブラケットを縦型手摺に適用した使用状態を示す概略斜視図である。
【図１０】図９の要部を示す斜視図である。
【符号の説明】
【００３８】
１  壁面
２  手摺
１０  ベース部材
１３  嵌合突部
１３ｂ  嵌合案内凸条
１４  係合凹部
１７  ベース部材固定ねじ
１８  位置決め段部
１９  ねじ孔
２０  ブラケット本体
２１  嵌合穴部
２１ｂ  嵌合案内凹条
２６  ねじ挿通孔
２７  係合凸部
２８  固定ねじ
３０  カバー
３１  第１のカバー半体
３２  第２のカバー半体
４０  シールパッキン
【図１】
2008057105.tif 000003
【図２】
2008057105.tif 000004
【図３】
2008057105.tif 000005
【図４】
2008057105.tif 000006
【図５】
2008057105.tif 000007
【図６】
2008057105.tif 000008
【図７】
2008057105.tif 000009
【図８】
2008057105.tif 000010
【図９】
2008057105.tif 000011
【図１０】
2008057105.tif 000012